(57)【要約】【課題】製造歩留まりを向上できるとともに、信頼性の高い電子銃構体用抵抗器、これを備えた電子銃構体及び陰極線管装置を提供することを目的とする。【解決手段】電子銃構体に備えられた電極に所定の抵抗分割比で分圧した電圧を印加するための電子銃構体用抵抗器４において、絶縁性基板５２と、絶縁性基板５２上に設けられた複数の電極用抵抗素子５３と、絶縁性基板５２上に設けられ電極用抵抗素子５３間において所定の抵抗値を得るためのパターンを有する抵抗用抵抗素子５４と、抵抗用抵抗素子５４を被覆する絶縁被覆層５５と、各電極用抵抗素子５３にそれぞれ対応して接続された複数の金属端子５６と、少なくとも１つの電極用抵抗素子５３から引き出され抵抗用抵抗素子５４に電気的に接続された引き出し配線６０と、を備えたことを特徴とする【選択図】　　　　　図３
2004139792.tif 000002
【特許請求の範囲】
【請求項１】
電子銃構体に備えられた電極に所定の抵抗分割比で分圧した電圧を印加するための電子銃構体用抵抗器において、
絶縁性基板と、
前記絶縁性基板上に設けられた複数の第１抵抗素子と、
前記絶縁性基板上に設けられ、第１抵抗素子間において所定の抵抗値を得るためのパターンを有する第２抵抗素子と、
前記第２抵抗素子を被覆する絶縁被覆層と、
前記各第１抵抗素子にそれぞれ対応して接続された複数の金属端子と、
少なくとも１つの前記第１抵抗素子から引き出され、前記第２抵抗素子に電気的に接続された引き出し配線と、
を備えたことを特徴とする電子銃構体用抵抗器。
【請求項２】
前記引き出し配線は、曲線状に形成されたことを特徴とする請求項１に記載の電子銃構体用抵抗器。
【請求項３】
前記引き出し配線は、円弧状のパターンを備え、円弧の内径の曲率半径が０．５ｍｍ以上１０．０ｍｍ以下であることを特徴とする請求項２に記載の電子銃構体用抵抗器。
【請求項４】
電子ビームをフォーカスまたは発散する電子レンズ部を構成するための複数の電極と、
前記複数の電極を一体に固定する絶縁支持体と、
前記絶縁支持体に沿って配置され、少なくとも１つの電極に所定の抵抗分割比で分圧した電圧を印加するための電子銃構体用抵抗器と、
を備えた電子銃構体において、
前記電子銃構体用抵抗器は、
絶縁性基板と、
前記絶縁性基板上に設けられた複数の第１抵抗素子と、
前記絶縁性基板上に設けられ、第１抵抗素子間において所定の抵抗値を得るためのパターンを有する第２抵抗素子と、
前記第２抵抗素子を被覆する絶縁被覆層と、
前記各第１抵抗素子にそれぞれ対応して接続された複数の金属端子と、
少なくとも１つの前記第１抵抗素子から引き出され、前記第２抵抗素子に電気的に接続された引き出し配線と、
を備えたことを特徴とする電子銃構体。
【請求項５】
前記電子銃構体は、所定の電極が固定された位置において前記絶縁支持体及び前記電子銃構体用抵抗器を取り巻くサプレッサリングを備え、
前記金属端子は、最も高い電圧が供給される高電圧供給端子と、前記電子銃構体の電極に対して所定の抵抗分割比で分圧した電圧を印加するための出力端子とに対応して設けられ、
前記引き出し配線は、前記サプレッサリングが備えられた位置と前記高電圧供給端子との間に位置することを特徴とする請求項４に記載の電子銃構体。
【請求項６】
電子ビームをフォーカスまたは発散する電子レンズ部を構成するための複数の電極と、少なくとも１つの電極に所定の抵抗分割比で分圧した電圧を印加するための電子銃構体用抵抗器と、を備えた電子銃構体と、
前記電子銃構体から放出された電子ビームを偏向するための偏向磁界を発生する偏向ヨークと、
を備えた陰極線管装置において、
前記電子銃構体用抵抗器は、
絶縁性基板と、
前記絶縁性基板上に設けられた複数の第１抵抗素子と、
前記絶縁性基板上に設けられ、第１抵抗素子間において所定の抵抗値を得るためのパターンを有する第２抵抗素子と、
前記第２抵抗素子を被覆する絶縁被覆層と、
前記各第１抵抗素子にそれぞれ対応して接続された複数の金属端子と、
少なくとも１つの前記第１抵抗素子から引き出され、前記第２抵抗素子に電気的に接続された引き出し配線と、
を備えたことを特徴とする陰極線管装置。
【発明の詳細な説明】
【０００１】
【発明の属する技術分野】
この発明は、陰極線管装置に搭載される電子銃構体用の抵抗器に係り、特に、電子銃構体に備えられたグリッド電極に所定の抵抗分割比で分圧した電圧を印加するための電子銃構体用抵抗器、これを備えた電子銃構体及び陰極線管装置に関する。
【０００２】
【従来の技術】
一般に、カラーテレビジョン受像機などに使用される陰極線管は、パネルに向けて電子ビームを放出する電子銃構体を備えている。この電子銃構体は、複数のグリッド電極を備えており、陽極電圧が印加される陽極以外に、比較的高電圧が印加される各種グリッド電極を備えている。
【０００３】
このような構成の陰極線管では、陰極線管のステム部から各グリッド電極に対して高電圧を印加すると、耐電圧上の問題を生じる。このため、陰極線管内に電子銃構体と共に電圧分圧用の抵抗器が電子銃構体用抵抗器として組み込まれている。この電子銃構体用抵抗器は、陽極電圧を所定の抵抗分割比で分圧し、それぞれのグリッド電極に対して所望の高電圧を印加する。
【０００４】
このような電子銃構体用抵抗器は、絶縁性基板上に、低抵抗材料によって形成された電極用抵抗素子と、電極用抵抗素子と同材料系からなる高抵抗材料によって形成された抵抗用抵抗素子とを備えている。電極用抵抗素子の一部及び抵抗用抵抗素子は、絶縁被覆層によって被覆される。金属端子からなる端子部は、電極用抵抗素子と電気的に接続され、絶縁性基板に設けたスルーホールに加締められて固定されている。（例えば、特許文献１参照。）。
【０００５】
【特許文献１】
特開平６−６８８１１号公報
【０００６】
【発明が解決しようとする課題】
上述したような電子銃構体用抵抗器を備えた電子銃構体において、フォーカス特性の改善に伴うグリッド電極の配置変更や抵抗分割比の変更は、電子銃構体用抵抗器の端子位置の変更も伴うことになる。このため、電子銃構体の機種に応じてスルーホールの位置が異なる絶縁性基板を用意したり、異なるパターンを有するスクリーンを準備したりする必要がある。したがって、製造歩留まりを低下させるおそれがある。
【０００７】
また、グリッド電極に対して所定の抵抗分割比で分圧した電圧を印加するよう、電子銃構体用抵抗器の絶縁性基板の表面に形成された抵抗用抵抗素子の抵抗値を調整するが、絶縁性基板のスペース的な制約上、グリッド電極への出力端子近傍において所定の抵抗分割比を得ることが出来ないといったケースがある。このため、電子銃構体において所望する性能が得られず、信頼性を低下させるおそれがある。
【０００８】
この発明は、上述した問題点に鑑みなされたものであって、その目的は、製造歩留まりを向上できるとともに、信頼性の高い電子銃構体用抵抗器、これを備えた電子銃構体及び陰極線管装置を提供することにある。
【０００９】
【課題を解決するための手段】
この発明の第１の様態による電子銃構体用抵抗器は、
電子銃構体に備えられた電極に所定の抵抗分割比で分圧した電圧を印加するための電子銃構体用抵抗器において、
絶縁性基板と、
前記絶縁性基板上に設けられた複数の第１抵抗素子と、
前記絶縁性基板上に設けられ、第１抵抗素子間において所定の抵抗値を得るためのパターンを有する第２抵抗素子と、
前記第２抵抗素子を被覆する絶縁被覆層と、
前記各第１抵抗素子にそれぞれ対応して接続された複数の金属端子と、
少なくとも１つの前記第１抵抗素子から引き出され、前記第２抵抗素子に電気的に接続された引き出し配線と、
を備えたことを特徴とする。
【００１０】
また、この発明の第２の様態による電子銃構体は、
電子ビームをフォーカスまたは発散する電子レンズ部を構成するための複数の電極と、
前記複数の電極を一体に固定する絶縁支持体と、
前記絶縁支持体に沿って配置され、少なくとも１つの電極に所定の抵抗分割比で分圧した電圧を印加するための電子銃構体用抵抗器と、
を備えた電子銃構体において、
前記電子銃構体用抵抗器は、
絶縁性基板と、
前記絶縁性基板上に設けられた複数の第１抵抗素子と、
前記絶縁性基板上に設けられ、第１抵抗素子間において所定の抵抗値を得るためのパターンを有する第２抵抗素子と、
前記第２抵抗素子を被覆する絶縁被覆層と、
前記各第１抵抗素子にそれぞれ対応して接続された複数の金属端子と、
少なくとも１つの前記第１抵抗素子から引き出され、前記第２抵抗素子に電気的に接続された引き出し配線と、
を備えたことを特徴とする。
【００１１】
この発明の第３の様態による陰極線管装置は、
電子ビームをフォーカスまたは発散する電子レンズ部を構成するための複数の電極と、少なくとも１つの電極に所定の抵抗分割比で分圧した電圧を印加するための電子銃構体用抵抗器と、を備えた電子銃構体と、
前記電子銃構体から放出された電子ビームを偏向するための偏向磁界を発生する偏向ヨークと、
を備えた陰極線管装置において、
前記電子銃構体用抵抗器は、
絶縁性基板と、
前記絶縁性基板上に設けられた複数の第１抵抗素子と、
前記絶縁性基板上に設けられ、第１抵抗素子間において所定の抵抗値を得るためのパターンを有する第２抵抗素子と、
前記第２抵抗素子を被覆する絶縁被覆層と、
前記各第１抵抗素子にそれぞれ対応して接続された複数の金属端子と、
少なくとも１つの前記第１抵抗素子から引き出され、前記第２抵抗素子に電気的に接続された引き出し配線と、
を備えたことを特徴とする。
【００１２】
上述した電子銃構体用抵抗器によれば、絶縁性基板上の所定位置に設けられた第１抵抗素子と、絶縁性基板上に所定のパターンを有して設けられた第２抵抗素子とは、第１抵抗素子に接続された金属端子から所定の抵抗分割比で分圧された電圧を出力可能とするために、第１抵抗素子から引き出された引き出し配線によって接続されている。
【００１３】
これにより、電子銃構体において、グリッド電極の配置変更や抵抗分割比の変更がなされた場合であっても他の絶縁性基板を用意したり、第１抵抗素子及び第２抵抗素子のパターンの大幅な設計変更を行ったりする必要がなくなる。すなわち、第１抵抗素子から引き出された引き出し配線を第２抵抗素子上の所望する位置まで引き回して接続することで上述したような各種変更に対応可能である。したがって、製造歩留まりを改善することが可能となる。
【００１４】
また、上述したような引き出し配線を第２抵抗素子上の所望する位置まで引き回す構成としたことにより、確実に所望する抵抗分割比が得られる。このため、電子銃構体において所望する性能を得ることができ、さらにこの電子銃構体を備えた陰極線管装置においても所望する性能を得ることができる。
【００１５】
【発明の実施の形態】
以下、この発明の一実施の形態に係る電子銃構体用抵抗器、これを備えた電子銃構体及び陰極線管装置について図面を参照して説明する。
【００１６】
図１に示すように、陰極線管装置の一例としてのカラー陰極線管装置は、真空外囲器３０を備えている。この真空外囲器３０は、パネル２０、及びこのパネル２０に一体に接合されたファンネル２１を有している。このパネル２０は、その内面に、青、緑、赤にそれぞれ発光する３色の蛍光体層を有した蛍光体スクリーン２２を備えている。シャドウマスク２３は、蛍光体スクリーン２２に対向して配置され、その内側に多数の電子ビーム通過孔を有している。
【００１７】
電子銃構体２６は、ファンネル２１の径小部に相当する円筒状のネック２４内に配置されている。この電子銃構体２６は、管軸方向すなわちＺ軸方向に沿って蛍光体スクリーン２２に向けて３電子ビーム２５Ｂ、２５Ｇ、２５Ｒを放出する。この電子銃構体２６から放出された３電子ビームは、同一平面上の水平方向すなわちＨ軸方向に一列に配列されたセンタービーム２５Ｇ及び一対のサイドビーム２５Ｂ、２５Ｒからなる。
【００１８】
ファンネル２１には、陽極端子２７が設けられているとともに、ファンネル２１の内面には、グラファイト製の内部導電膜２８が形成されている。ファンネル２１の外側には、電子銃構体２６から放出された３電子ビーム２５Ｂ、２５Ｇ、２５Ｒを偏向するための非斉一な偏向磁界を形成する偏向ヨーク２９が設けられている。この偏向ヨーク２９は、ピンクッション型の水平偏向磁界を発生する水平偏向コイル、及び、バレル型の垂直偏向磁界を発生する垂直偏向コイルを備えている。
【００１９】
このような構成のカラー陰極線管装置では、電子銃構体２６から放出された３電子ビーム２５Ｂ、２５Ｇ、２５Ｒは、セルフコンバージェンスしつつ蛍光体スクリーン２２の対応する蛍光体層上にフォーカスされる。また、これらの３電子ビーム２５Ｂ、２５Ｇ、２５Ｒは、偏向ヨーク２９が発生する非斉一磁界によって蛍光体スクリーン２２上を偏向され、蛍光体スクリーン２２上を水平方向Ｈ及び垂直方向Ｖに走査する。これにより、蛍光体スクリーン２２上にカラー画像が表示される。
【００２０】
図２に示すように、電子銃構体２６は、水平方向Ｈに一列に配置された３個の陰極Ｋ（Ｂ、Ｇ、Ｒ）、及び、管軸方向Ｚに沿って同軸上に配置された複数の電極を備えている。複数の電極、すなわち、第１グリッド電極Ｇ１、第２グリッド電極Ｇ２、第３グリッド電極Ｇ３、第４グリッド電極Ｇ４、第５グリッド電極（フォーカス電極）Ｇ５、第６グリッド電極（第１中間電極）Ｇ６、第７グリッド電極（第２中間電極）Ｇ７、第８グリッド電極（最終加速電極）Ｇ８、及びコンバージェンス電極ＣＧは、陰極Ｋ（Ｒ、Ｇ、Ｂ）から蛍光体スクリーン２２に向かって順次配置されている。
【００２１】
これらの３個の陰極Ｋ（Ｂ、Ｇ、Ｒ）、及び、第１乃至第８グリッド電極Ｇ１乃至Ｇ８は、相互に所定の位置関係を維持して、一対の絶縁支持体すなわちビードガラス２によって垂直方向Ｖから挟持されることにより一体的に保持されている。コンバージェンス電極ＣＧは、第８グリッド電極Ｇ８に溶接され、電気的に接続されている。
【００２２】
第１グリッド電極Ｇ１及び第２グリッド電極Ｇ２は、それぞれ比較的板厚の薄い板状電極によって形成されている。また、第３グリッド電極Ｇ３、第４グリッド電極Ｇ４、第５グリッド電極Ｇ５、及び第８グリッド電極Ｇ８は、それぞれ複数のカップ状電極を付け合わせて構成された一体構造の筒状電極によって形成されている。第６グリッド電極Ｇ６及び第７グリッド電極Ｇ７は、比較的板厚の厚い板状電極によって形成されている。これらの各電極は、３個の陰極Ｋ（Ｒ、Ｇ、Ｂ）に対応して３電子ビームをそれぞれ通過するための３個の電子ビーム通過孔を有している。
【００２３】
また、この電子銃構体２６の近傍には、電子銃構体用抵抗器４が配置されている。この抵抗器４は、電子銃構体２６に備えられたグリッド電極に対して高電圧を所定の抵抗分割比で分圧するために適用され、分圧された電圧が各グリッド電極に印加される。
【００２４】
この抵抗器４の一端部は、引き出し端子６を介して第８グリッド電極Ｇ８に接続されている。また、抵抗器４の他端部は、引き出し端子７を介してネック端部を封止しているステム部ＳＴを気密に貫通するステムピン８Ａに接続されている。このステムピン８は、直接接地又は管外で可変抵抗器３５を介して接地されている。また、この抵抗器３２は、その中間部において、一端部側から順に３つの引き出し端子５Ａ、５Ｂ、５Ｃを備えている。各引き出し端子５Ａ、５Ｂ、５Ｃは、それぞれ、第７グリッド電極Ｇ７、第６グリッド電極Ｇ６、第５グリッド電極Ｇ５、と接続されている。
【００２５】
この電子銃構体２６の陰極Ｋ（Ｒ、Ｇ、Ｂ）及び各グリッド電極には、ステム部ＳＴを気密に貫通するステムピン８Ｂを介して所定の電圧が供給される。すなわち、陰極Ｋ（Ｂ、Ｇ、Ｒ）には、例えば、約１９０Ｖの直流電圧に画像信号の重畳された電圧が印加される。また、第１グリッド電極Ｇ１は、接地されている。第２グリッド電極Ｇ２には、約８００Ｖの直流電圧が印加される。第３グリッド電極Ｇ３及び第５グリッド電極Ｇ５は、導線３を介して管内で電気的に接続されている。第４グリッド電極Ｇ４には、約８乃至９ｋＶの直流電圧に電子ビームの偏向に同期してパラボラ状に変化する交流成分電圧を重畳したダイナミックフォーカス電圧が印加される。
【００２６】
第８グリッド電極Ｇ８には、約３０ｋＶの陽極電圧が印加される。すなわち、第８グリッド電極Ｇ８に溶接されたコンバージェンス電極ＣＧは、内部導電膜２８に圧接された複数個の導電スプリング１０を備えている。陽極電圧は、ファンネル２１に設けられた陽極端子２７、内部導電膜２８、及び、導電スプリング１０を介して、コンバージェンス電極ＣＧ及び第８グリッド電極Ｇ８に供給される。
【００２７】
また、この陽極電圧は、コンバージェンス電極ＣＧに電気的に接続された引き出し端子６を介して抵抗器４に供給される。第７グリッド電極Ｇ７、第６グリッド電極Ｇ６、及び、第５グリッド電極Ｇ５には、抵抗器４の各引き出し端子５Ａ、５Ｂ、５Ｃを介して、所定の抵抗分割比に分圧された所定の電圧が印加される。
【００２８】
また、この電子銃構体２６には、電子銃構体２６が配設されているネック２４内壁の帯電電位を安定させる目的で、ネック２４内壁の所定部分に導電膜１２を形成するためのサプレッサリング１１が設けられている。このサプレッサリング１１は、電子銃構体２６を構成する所定の電極が固定された位置においてビードガラス２及び電子銃構体用抵抗器４を取り巻くように配置されている。図２に示した実施の形態では、サプレッサリング１１は、例えば第５グリッド電極Ｇ５に取り付けられてビードガラス２及び電子銃構体用抵抗器４を取り巻いている。
【００２９】
このような電子銃構体２６の各グリッド電極に、上述したような電圧をそれぞれ印加することにより、陰極Ｋ（Ｂ、Ｇ、Ｒ）、第１グリッド電極Ｇ１、及び第２グリッド電極Ｇ２は、電子ビームを発生する電子ビーム発生部を構成する。また、第２グリッド電極Ｇ２及び第３グリッド電極Ｇ３は、電子ビーム発生部から発生された電子ビームをプリフォーカスするプリフォーカスレンズを構成する。
【００３０】
第３グリッド電極Ｇ３、第４グリッド電極Ｇ４、及び第５グリッド電極Ｇ５は、プリフォーカスレンズによってプリフォーカスされた電子ビームをさらにフォーカスするサブレンズを構成する。第５グリッド電極Ｇ５、第６グリッド電極Ｇ６、第７グリッド電極Ｇ７、及び第８グリッド電極Ｇ８は、サブレンズによってフォーカスされた電子ビームを最終的に蛍光体スクリーン２２上にフォーカスする主レンズを構成する。
【００３１】
次に、電子銃構体用抵抗器４の構造について、より詳細に説明する。
【００３２】
すなわち、図３乃至図５に示すように、抵抗器４は、絶縁性基板５２と、絶縁性基板５２上に設けられた複数の第１抵抗素子すなわち電極用抵抗素子５３と、絶縁性基板５２上に設けられ電極用抵抗素子間において所定の抵抗値を得るためのパターンを有する第２抵抗素子すなわち抵抗用抵抗素子５４と、抵抗用抵抗素子５４を被覆する絶縁被覆層５５と、各電極用抵抗素子５３にそれぞれ対応して接続された複数の金属端子５６と、を備えて構成されている。
【００３３】
絶縁性基板５２は、例えば酸化アルミニウムなどを主成分とするセラミック系の板状材料によって形成されている。この絶縁性基板５２は、所定位置において、表面側から裏面側に貫通するあらかじめ形成された複数のスルーホール５１を有している。
【００３４】
電極用抵抗素子５３は、例えば酸化ルテニウムなどの金属酸化物やほう珪酸鉛ガラスなどのガラス材料を含む相対的に低抵抗な材料（例えば１０ｋΩ／□のシート抵抗値を有する低抵抗ペースト材料）によって形成されている。この電極用抵抗素子５３は、絶縁性基板５２の表面上における所定位置に配置されている。すなわち、各電極用抵抗素子５３は、絶縁性基板５２における端子部Ａ乃至Ｄにおいて、絶縁性基板５２に設けられたスルーホール５１に対応するように島状に配置されている。
【００３５】
抵抗用抵抗素子５４は、例えばほう珪酸鉛ガラスなどのガラス材料を含み、電極用抵抗素子５３より相対的に高抵抗な材料（例えば５ＭΩ／□のシート抵抗値を有する高抵抗ペースト材料）によって形成されている。この抵抗用抵抗素子５４は、絶縁性基板５２の表面上において所定パターン、例えば波状のパターンを有して配置され、電極用抵抗素子５３に電気的に接続されている。この抵抗用抵抗素子５４の長さや、幅、厚さなどは、電極用抵抗素子５３間において所定の抵抗値が得られるように設定されている。
【００３６】
絶縁被覆層５５は、例えば遷移金属酸化物及びほう珪酸鉛ガラスを主成分とする相対的に高抵抗な材料によって形成されている。この絶縁被覆層５５は、電極用抵抗素子５３の一部を避けて、絶縁性基板５２の表面を抵抗用抵抗素子５４を含めて覆うとともに裏面全体も覆うように配置されている。これにより、抵抗器４の耐電圧特性を向上している。
【００３７】
金属端子５６は、その一端に設けられたフランジ部５６Ｆ、フランジ部５６Ｆから延出された舌片状の端子片５６Ｔ、フランジ部５６Ｆに連接する円筒部５６Ｃなどを有している。金属端子５６は、絶縁性基板５２の表面側から各スルーホール５１に円筒部５６Ｃを挿入した後、絶縁性基板５２の裏面側に突出した円筒部５６Ｃの先端部５６Ｘを加締めることによって取り付けられている。これにより、各金属端子５６は、フランジ部５４Ｆによって絶縁性基板５２との間で対応する電極用抵抗素子５３を挟み込み、電極用抵抗素子５３に電気的に接続され、それぞれ端子部Ａ乃至Ｄを形成している。
【００３８】
端子部Ａは、金属端子５６を介して引き出し端子６に接続され、最も高い電圧すなわち陽極電圧が印加される高電圧供給端子として機能する。端子部Ｄは、金属端子５６を介して引き出し端子７に接続され、最も低い電圧たとえば接地されている。
【００３９】
端子部Ｂは、金属端子５６を介して例えば引き出し端子５Ａに接続され、端子部Ａに次いで高電圧が印加される。端子部Ｃは、金属端子５６を介して例えば引き出し端子５Ｂに接続され、端子部Ｂに次いで高電圧が印加される。端子部Ｂ及びＣは、所定のグリッド電極に対して所定の抵抗分割比で分圧した電圧を印加するための出力端子として機能する。
【００４０】
ところで、陰極線管装置において画質を良好にするためには、蛍光体スクリーン２２上でのフォーカス特性を良好にすることが必要であり、これに対応するために、内蔵される電子銃構体２６の仕様を調整することがある。この仕様調整では、主に電子銃構体２６を構成するグリッド電極の形状や配置の変更、供給電圧の適性化などが行われる。
【００４１】
ここで、上述したような電子銃構体用抵抗器４を利用してグリッド電極に高電圧を供給するような電子銃構体２６では、抵抗器４の端子部Ａ乃至Ｄから対応する各引き出し端子までの引き回し配線の耐電圧的な問題から、抵抗器４における端子部は、電圧を供給するグリッド電極の近傍に配置されている。このため、フォーカス特性改善に伴うグリッド電極の配置変更は、抵抗器４における端子部の配置位置の変更も伴うことになる。抵抗器４による抵抗分割比は、絶縁性基板５２の表面に形成された抵抗を調整することで行っているが、絶縁性基板５２のスペース的な制約上、端子部の配置位置によっては所定の抵抗分割比を得ることができないといったケースがある。
【００４２】
そこで、複数の電極用抵抗素子５３のうち、少なくとも１つは、引き出し配線６０を介して抵抗用抵抗素子５４と電気的に接続されている。つまり、電極用抵抗素子５３は、電圧を供給するグリッド電極の近傍に配置された端子部に対応して配置される。所定位置の端子部において、電極用抵抗素子５３を抵抗用抵抗素子５４に直接接続した場合に、所望する抵抗分割比が得られない端子部においては、電極用抵抗素子５３は、引き出し配線６０を介して抵抗用抵抗素子５４の所望する位置に接続される。
【００４３】
すなわち、引き出し配線６０は、電極用抵抗素子５３から引き出されている。つまり、引き出し配線６０は、低抵抗材料によって電極用抵抗素子５３と一体的に形成される。この引き出し配線６０は、電極用抵抗素子５３に接続された金属端子５６から所定の抵抗分割比で分圧された電圧を出力可能とするように、抵抗用抵抗素子５４の所定位置に接触して接続されている。
【００４４】
これにより、電子銃構体２６において、グリッド電極の配置変更や抵抗分割比の変更がなされた場合であっても他の絶縁性基板を用意したり、電極用抵抗素子５３及び抵抗用抵抗素子５４のパターンの大幅な設計変更を行ったりする必要がなくなる。すなわち、電極用抵抗素子５３から引き出された引き出し配線６０を抵抗用抵抗素子５４上の所望する位置まで引き回して接続することにより、上述したような各種変更に対応可能である。したがって、製造歩留まりを改善することが可能となる。
【００４５】
次に、上述した抵抗器４の製造方法について説明する。
【００４６】
すなわち、まず、あらかじめ所定位置に配置されたスルーホール５１を有する絶縁性基板５２を用意する。そして、この絶縁性基板５２上に低抵抗ペースト材料をスクリーン印刷法により印刷塗布する。このとき、各スルーホール５１に対応してドーナツ状の電極用抵抗素子５３及びこの電極用抵抗素子５３から引き出された引き出し配線６０を形成するようなスクリーンを介して低抵抗ペースト材料が塗布される。この後、塗布した低抵抗ペースト材料を乾燥した後に、焼成する。これにより、複数の島状の電極用抵抗素子５３及びこれと一体の引き出し配線６０が形成される。
【００４７】
続いて、絶縁性基板５２上に高抵抗ペースト材料をスクリーン印刷法により印刷塗布する。このとき、電極用抵抗素子５３間で所定の抵抗値が得られるように調整されたパターンのスクリーンを介して高抵抗ペースト材料が塗布される。この後、塗布した高抵抗ペースト材料を乾燥した後、焼成する。これにより、抵抗器４全体で所定の抵抗値、例えば０．１×１０９乃至２．０×１０９Ωの抵抗値を有するような抵抗用抵抗素子５４が形成される。この抵抗用抵抗素子５４は、島状の電極用抵抗素子５３に直接接続されるか、引き出し配線６０に接続される。
【００４８】
続いて、電極用抵抗素子５３の周辺を除いて抵抗用抵抗素子５４を覆うように絶縁性基板５２の全体を絶縁被覆層５５をスクリーン印刷法により印刷塗布した後に、乾燥し、焼成する。このとき、電極用抵抗素子５３を覆うように配置される金属端子５６のフランジ部５６Ｆの外形分だけ避けるようなパターンのスクリーンを介して絶縁被覆層５５が塗布される。
【００４９】
続いて、金属端子５６の円筒部５６Ｃを絶縁性基板５２の表面側からスルーホール５１に挿入し、裏面側に突出した先端部５６Ｘを加締めることによって、フランジ部５６Ｆが対応する電極用抵抗素子５３に電気的に接続される。
【００５０】
以上のような工程によって電子銃構体用抵抗器４が形成される。今回製作の抵抗器４については、端子部Ｂに上述した構造を採用したが、他の端子部についても上述したような構造を採用してもよい。
【００５１】
上述したような引き出し配線６０を抵抗用抵抗素子５４上の所望する位置まで引き回す構成としたことにより、確実に所望する抵抗分割比を得ることができる。このため、電子銃構体２６において所望する性能を得ることができ、さらにこの電子銃構体２６を備えた陰極線管装置においても所望する性能を得ることができる。したがって、信頼性を向上することができる。
【００５２】
上述したような高電圧が印加される陰極線管装置では、耐電圧特性を良好にするために、その製造工程において耐電圧処理が施されている。この耐電圧処理では、通常動作電圧の２〜３倍程度のピ−ク電圧をもつ高電圧が印加される。これによって、強制放電を生じさせることにより、耐電圧特性の低下の原因となる各種グリッド電極のバリや付着物などが除去される。
【００５３】
このような耐電圧処理時において、サプレッサリング１１が取り付けられている第５グリッド電極Ｇ５は、低電圧側に接続されているため、このサプレッサリング１１と抵抗器４の高電圧供給端子Ａとの間で大きな電位差を生じる。このため、耐電圧処理時に抵抗器表面の絶縁被覆層５５上において、サプレッサリング１１と抵抗器４の高電圧供給端子Ａとの間で絶縁耐圧を超えてしまい、沿面放電が発生してしまう。
【００５４】
一方、高真空中に配設される電子銃構体用抵抗器４では、抵抗用抵抗素子５４や電極用抵抗素子５３が絶縁被覆層５５によって被覆されているため、トリプルジャンクションを形成する。このため、上述したような陰極線管装置において、高電圧が印加されると、トリプルジャンクションにミクロ的に電界が集中しやすい。また、電極用抵抗素子５３は、導電物質を多く含む低抵抗材料で構成されているため、その層中にエッジのあるボイドを形成しやすい。
【００５５】
先に説明した沿面放電は、高電界集中部に沿う形で進展するため、耐電圧処理を施した際に抵抗器４の絶縁被覆層５５表面に発生した沿面放電は、トリプルジャンクションがもたらす電界集中部に引き寄せられる。そして、この沿面放電は、絶縁被覆層５５下部にある抵抗用抵抗素子５４にパルス電流を流しながら進展する。このため、そのエネルギによる発熱や電極用抵抗素子５３中に起きるボイド放電などにより、電極用抵抗素子５３及び抵抗用抵抗素子５４の剥離やこの直上の絶縁被覆層５５の剥離を生じさせる。このようにして剥離脱落した部材は、陰極線管内を浮遊し、シャドウマスクの孔詰まりの原因となる。また、場合によっては、抵抗用抵抗素子５４自体の完全な剥離による断線が起こる可能性もある。
【００５６】
一方、上述した電子銃構体用抵抗器４において、直線パターンの組み合わせによって形成された形状の引き出し配線６０では、直線パターンが交差する位置にコーナ部が形成される。たとえば、図３乃至図５に示したような電子銃構体用抵抗器４では、引き出し配線６０は、２本の直線パターンを組み合わせた形状を有している。これらの直線パターンは、略直交しており、コーナ部６０Ｃを形成している。
【００５７】
このような引き出し配線６０上のコーナ部６０Ｃでは、上述した電界集中現象がマクロ的にも起こりやすくなる。結果として、電極用抵抗素子５３及び抵抗用抵抗素子５４の剥離やこの直上の絶縁被覆層５５の剥離を助長させることになる。このような現象は、特に、サプレッサリング１１の配置位置５７と抵抗器４における高電圧供給端子Ａとの間で耐電圧処理時に発生しやすい。
【００５８】
このため、サプレッサリング１１の配置位置５７と高電圧供給端子Ａとの間に位置する端子部、すなわち端子部Ｂにおいて、引き出し配線６０による接続が必要とされる場合には、上述したような現象を考慮する必要がある。
【００５９】
すなわち、図６及び図７に示した電子銃構体用抵抗器４においては、引き出し配線６０は、曲線状に形成されている。これにより、引き出し配線６０上に電界集中現象が起こりやすいコーナ部が形成されることがない。したがって、この電界集中現象による、電極用抵抗素子５３、抵抗用抵抗素子５４、及び、引き出し配線６０、絶縁被覆層５５の剥離を防止することができる。特に、サプレッサリング１１の配置位置５７と抵抗器４における高電圧供給端子Ａとの間に位置する端子部Ｂにおいて、引き出し配線６０を必要とする場合には、有効である。
【００６０】
なお、引き出し配線６０を曲線状に形成した場合であっても、円弧状のパターンにおける円弧の内径の曲率半径が極めて小さい曲線パターンでは、図４に示したコーナ部６０Ｃと同様に電界集中現象が起こりやすい。
【００６１】
そこで、上述した製造方法にて製造した電子銃構体用抵抗器４を陰極線管装置内に組み込んで耐電圧処理を行い、引き出し配線６０を構成する円弧の内径の曲率半径Ｒが耐電圧処理後の絶縁被覆層５５の剥離に与える影響を確認した。図８にその確認結果を示す。
【００６２】
図８に示すように、比較例として図４に示したような直線パターンの組み合わせによって引き出し配線６０を構成した場合には、試験した製品のうちの１８％に相当する個数の抵抗器４において引き出し配線６０や抵抗用抵抗素子５３などの剥離に起因した絶縁被覆層５５の剥離が確認された。
【００６３】
これに対して、本実施形態のように、円弧パターンによって引き出し配線６０を構成した場合には、引き出し配線６０及び絶縁被覆層５５の剥離が確認された抵抗器４の個数を大幅に低減することができた。曲率半径Ｒが小さいほど、比較例と同様のコーナ部が形成されるため、１０％以上の抵抗器４で剥離が確認された。これに対して、曲率半径Ｒを０．５ｍｍ以上とすることにより、抵抗器４での剥離が全く認められなかった。このため、引き出し配線６０を円弧状のパターンにて形成した場合には、円弧の内径の曲率半径Ｒは、０．５ｍｍ以上とすることが望ましい。
【００６４】
なお、本実施形態では、曲率半径Ｒを１５．０ｍｍまで実験したが、曲率半径Ｒが１０．０ｍｍを超えたあたりで、印刷に使用しているメッシュ方式による印刷用スクリーンのメッシュ角度と、引き出し配線６０のパターンとが干渉してしまい、パターンににじみが出てくることが確認された。したがって、パターンを重ねて印刷していく際のパターンズレ対策や、印刷に使用するスクリーンメッシュに起因するにじみ防止などの観点から、引き出し配線６０の曲率半径Ｒの上限は１０．０ｍｍ以下とすることが望ましい。
【００６５】
上述したように、電子銃構体用抵抗器４の抵抗用抵抗素子５４と電極用抵抗素子５３とを電極用抵抗素子５３から引き出された引き出し配線６０によって接続して使用されるような陰極線管装置においては、電子銃構体２６の所定電極に取り付けられるサプレッサリング１１と抵抗器４の高電圧供給端子Ａとの間に配設される引き出し配線６０は、曲線状に形成され、しかもそのうちの円弧状パターンにおける円弧の内径の曲率半径が０．５ｍｍ以上１０．０ｍｍ以下となるように形成されている。
【００６６】
これにより、引き出し配線６０上にコーナ部が形成されず、耐電圧処理時における電界集中部を削減することができる。また、陰極線管装置の製造工程で受ける耐電圧処理において、サプレッサリングと高電圧供給端子Ａとの間での沿面放電時に、抵抗用抵抗素子５４、電極用抵抗素子５３、引き出し配線６０、及び、絶縁被覆層５５の剥離を効率良く防止することが可能となる。また、剥離した部材によるシャドウマスクの孔詰まりの発生も解消することができる。
【００６７】
また、引き出し配線６０曲率半径Ｒを大きくすることにより、引き出し配線６０の配線長を短縮することができ、引き出し配線６０と一体の電極用抵抗素子５３の抵抗値を低減することができる。このため、抵抗用抵抗素子５４を設計する上で抵抗値の予測が立てやすくなる。また、電極用抵抗素子５３の抵抗値に起因した抵抗値読み取り誤差も減り、抵抗器４としての品質を安定化することができる。これにより、この抵抗器４を利用した電子銃構体及び陰極線管の品質も安定することができ、信頼性を向上することが可能となる。
【００６８】
なお、上述した実施の形態では、曲線状に形成した引き出し配線６０を端子部Ｂの１箇所のみについて採用しているが、複数箇所に採用しても構わないことは言うまでもない。
【００６９】
また、上述した実施の形態では、電子銃構体用抵抗器をカラー陰極線管装置に適用した場合について説明したが、これに限らず分圧抵抗器を必要とするその他電子管についても上述した構造の電子銃構体用抵抗器を適用可能であることはいうまでもない。
【００７０】
なお、この発明は上記各実施の形態に限定されるものではなく、その実施の段階ではその要旨を逸脱しない範囲で種々な変形・変更が可能である。また、各実施の形態は可能な限り適宜組み合わせて実施されてもよく、その場合組み合わせによる効果が得られる。
【００７１】
【発明の効果】
以上説明したように、この発明によれば、製造歩留まりを向上できるとともに、信頼性の高い電子銃構体用抵抗器、これを備えた電子銃構体及び陰極線管装置を提供することができる。
【図面の簡単な説明】
【図１】図１は、この発明の一実施の形態に係るカラー陰極線管装置の構造を概略的に示す図である。
【図２】図２は、図１に示したカラー陰極線管装置に適用される電子銃構体の構造を概略的に示す図である。
【図３】図３は、図２に示した電子銃構体に適用される電子銃構体用抵抗器を外表部を形成する絶縁被覆層上から透視した状態を示す図である。
【図４】図４は、図３に示した電子管内蔵電子銃用抵抗器において端子部Ｂ近辺の構造を拡大して示す図である。
【図５】図５は、図４に示した端子部Ｂ近辺の断面構造を示す図である。
【図６】図６は、図２に示した電子銃構体に適用される他の電子銃構体用抵抗器を外表部を形成する絶縁被覆層上から透視した状態を示す図である。
【図７】図７は、図６に示した電子管内蔵電子銃用抵抗器において端子部Ｂ近辺の構造を拡大して示す図である。
【図８】図８は、この発明の効果を説明するための図であり、電子銃構体用抵抗器の耐電圧処理後の不具合発生の確認結果を示す図である。
【符号の説明】
４…電子銃構体用抵抗器
５１…スルーホール
５２…絶縁性基板
５３…電極用抵抗素子（第１抵抗素子）
５４…抵抗用抵抗素子（第２抵抗素子）
５５…絶縁被覆層
５６…金属端子
５６Ｆ…フランジ部
５７…サプレッサリング取り付け位置
６０…引き出し配線
Ａ〜Ｄ…端子部
【図１】
2004139792.tif 000003
【図２】
2004139792.tif 000004
【図３】
2004139792.tif 000005
【図４】
2004139792.tif 000006
【図５】
2004139792.tif 000007
【図６】
2004139792.tif 000008
【図７】
2004139792.tif 000009
【図８】
2004139792.tif 000010